【事件の表示】
　平成１１年特許願第５０４０５９号「ホームネットワークのためのプログラミングツール」拒絶査定不服審判事件〔平成１０年１２月３０日国際公開、ＷＯ９８／５９４７８、平成１２年　９月１９日国内公表、特表２０００−５１２４７２〕について、次のとおり審決する。
【結　論】
　本件審判の請求は、成り立たない。
【理　由】
１．手続の経緯・本願発明
　本願は、１９９８年６月２４日（パリ条約による優先権主張外国庁受理１９９７年６月２５日、１９９７年９月２２日、米国）を国際出願日とする出願であって、その請求項１に係る発明は、明細書及び図面の記載からみて、本願の特許請求の範囲の請求項１に記載されたとおりの次のものと認める。（以下、「本願発明」という。）
「プログラムガイドがホームネットワークに連結された第１家電機器と関連されたマルチメディア物を識別する時、ホームネットワークに対してプログラムガイドを発生する方法において、
　第１家電機器と関連されたマルチメディア物を識別する段階と、
第１家電機器と関連された識別されたマルチメディア物によってHTMLページを発生する段階と、
　第１家電機器の接近可能な領域に前記HTMLページを貯蔵する段階とを含むことを特徴とする方法。」
　　
２．引用例
　これに対して、原査定の拒絶の理由に引用された特開平７−４４４７７号公報（以下、「引用例１」という。）、及び特開平９−１４６９７３号公報（以下、「引用例２」という。）には、それぞれ、図面とともに次の事項が記載されている。
　
［引用例１］
Ａ．「【０００１】
【産業上の利用分野】本発明は、文字・音声・静止画・動画等の各種情報を取り扱うマルチメディア機器のシステム制御に用いて好適なものである。
【０００２】
【従来の技術】従来アナログ技術を中心としていたオーディオ・ビデオ・ＴＶ等のＡＶ機器においては、近年急速にデジタル化が進んできている。また、文字・静止画情報のデジタル化の普及と合わせて、いわゆるマルチメディアとして文字・音声・静止画・動画情報がコンピュータの中で統括的に取り扱われるようになってきた。
【０００３】
【発明が解決しようとしている課題】しかしながら、現在マルチメディア機器（デジタルカメラ、ＣＤ−ＲＯＭプレーヤ、スキャナ、サウンドボード、ビデオボード等の音声入出力機器、映像入出力機器等）をコンピュータで利用する場合、それを駆動する専用のアプリケーションソフトまたはデバイスドライバというソフトウェアをコンピュータにインストールしなければならなかった。
【０００４】したがつてこの方法では、新しいマルチメディア機器に対しては新たなアプリケーションソフトまたはデバイスドライバをコンピュータごとにあるいはＯＳ（Operating System）ごとに用意しなければないため、ソフトウェアの開発負荷が大きく、効率的かつ高速の制御が不可能であるという問題があった。
【０００５】またこの方法では、一般的にはＬＡＮに接続された他のコンピュータから、そのマルチメディア機器を透過的に使用することが出来ないため、ＬＡＮを介して各コンピユータから各周辺機器にアクセスできるようなマルチメデイアシステムのコンセプトを実現することができないものであつた。
【０００６】本発明の課題は、上述の問題点を解決することにあり、これらのマルチメデイア機器において、上記アプリケーシヨンソフトやデバイスドライバ等の特別なソフトウエアを必要とせず、またＬＡＮを介して他のコントローラから透過的に共通的にマルチメデイア機器を利用できる環境を提供し、特にマルチメデイア機器間でデータの送受信を行う際に利用者に簡易なユーザーインターフエースをもつてマルチメデイア機器間のデータ送受信関係を構築できるようにし、実際のデータ送受信の際には、コントローラを介さずに、マルチメデイア機器間のみでデータ送受信を行うことを目的とする。
【０００７】
【課題を解決するための手段】本発明は上述の課題を解決するためになされたもので、その特徴とするところは、複数のマルチメディア機器及びこれらを制御するための制御機器がネットワーク上に接続され、該ネットワークを介して前記複数のマルチメディア機器及び制御装置が互いにオブジェクト指向に基づいたメッセージ及びデータの送受信が可能なシステムにおいて、前記制御装置には表示手段及びポインティング手段が付随し、前記表示手段により、前記複数のマルチメディア機器それぞれを象徴する図柄が表示され、利用者が該ポインティング手段により、これらの図柄の間にリンクを張ることによりマルチメディア機器間のデータの入出力関係を指定するように構成したマルチメディア機器の制御システムにある。」（第２頁右欄第２６行〜第３頁左欄第３２行）
Ｂ．「【００５４】図１２は代理オブジェクト記述ファイルのコントロールパネル記述部の構成を示した図である。図１２において２４７はコントロールパネルオブジェクト記述部であり、第１オブジェクト記述情報２４８から第ｉオブジェクト記述部２４９までのｉ個のオブジェクト記述情報より構成されている。１つのオブジェクト記述情報はオブジェクト認識情報２５０、オブジェクト描画情報２５４、オブジェクトリンク情報２６０から構成される。
【００５５】オブジェクト認識情報２５０はオブジェクトが所属するクラスを示すクラス名２５１、第ｉオブジェクト固有のＩＤであるオブジェクトＩＤ２５２、第ｉオブジェクトが直属するオブジェクトのＩＤを示す所属オブジェクトＩＤ２５３から構成される。
【００５６】オブジェクト描画情報２５４は、コントロールパネル表示画面２３１を構成するボタン等のオブジェクトの描画を行うための情報であり、第１オブジェクト描画情報２５５から第ｊオブジェクト描画情報２５９までのｊ個のオブジェクト描画情報から構成される。１つのオブジェクト描画情報は描画位置・大きさ情報２５６、形状・色情報２５７、オブジェクト画像２５８から構成される。
【００５７】オブジェクトリンク情報２６１はコントローラオブジェクト２０７等コントロールパネルオブジェクトを構成するオブジェクトが対応するオブジェクトとのリンク情報を提供する記述であり、第１オブジェクトリンク情報２６１から、第ｋオブジェクトリンク情報２６４までのｋ個のオブジェクトリンク情報から構成される。１つのオブジェクトリンク情報は対応オブジェクトＩＤ２６２と対応オブジェクトへの送出メッセージ２６３から構成される。」（第７頁左欄第２５行〜右欄第５行）
Ｃ．「【００６４】まず、デジタルＶＴＲ２０３がＬＡＮ４に接続されたときの動作について説明する。図１６はデジタルＶＴＲ２０３をＬＡＮ４に接続した際の動作のフローを示した図である。図１７はマルチメディアコントローラ１の画面を示した図である。図１７において２２８はマルチメディアコントローラ１のディスプレー、２２９はデジタルＶＴＲ２０３が接続されたことを示すアイコン表示であり、２３０はマウスなどのポインティングデバイスが指示する位置を示すカーソルである。ポインティングデバイスは図示しないが、ポインティングデバイスはボタンを備えており、該ボタンを利用者が押して放す動作を一般的にクリックすると称し、所定間隔で２回クリックする動作をダブルクリックすると称する。尚、他の接続機器としては、カメラ（静止画入力）、チユーナ、テレビジヨン、各種データベース、ＣＤ等、種々の機器との接続が可能であり、それらの機器の選択、制御も画面２２８上のアイコン表示にて行うことができる。
【００６５】図１８はＬＡＮ４にマルチメディア機器の例であるオブジェクト化されたデジタルＶＴＲ２０３が接続されたときの状態を説明する図である。図１８において２２０はマルチメディアコントローラ１内に生成されるオブジェクトでありマルチメディアコントローラ１内においてデジタルＶＴＲ２０３の代理として機能するデジタルＶＴＲ代理オブジェクト２２０である。デジタルＶＴＲ代理オブジェクト２２０はデジタルＶＴＲ２０３のコントロールパネルとして機能するデジタルＶＴＲコントロールパネルオブジェクト２２１、データ入力の際にデータ入力オブジェクト２０８の代理として機能するデジタルＶＴＲデータ入力代理オブジェクト２２２、同様にデータ出力オブジェクト２０９の代理として機能するデジタルＶＴＲデータ出力代理オブジェクト２２３から構成される。
【００６６】図１６、図１７、図１８に従ってＬＡＮ４にマルチメディア機器の例であるオブジェクト化されたデジタルＶＴＲ２０３が接続されたときの動作を説明する。デジタルＶＴＲ２０３をＬＡＮに接続すると（６３６）システムディレクターオブジェクト２０５がデジタルＶＴＲ２０３の接続を認識する（６３７）。次にシステムディレクターオブジェクト２０５はデジタルＶＴＲ２０３にデバイスＩＤを発送する（６３８）。
【００６７】次にシステムディレクターオブジェクト２０５はマルチメディア機器代理オブジェクト生成手段１０４７を用いてデジタルＶＴＲ２０３よりデジタルＶＴＲ代理オブジェクト記述ファイル２１０をロードする（６３９）。次にシステムディレクターオブジェクト２０５はマルチメディア機器代理オブジェクト生成手段１０４７を用いてデジタルＶＴＲ代理オブジェクト記述ファイル２１０に基づきデジタルＶＴＲ代理オブジェクト２２０をマルチメディアコントローラ１中に生成する（６４０）。その結果図１８で示した接続状態になる。次にデジタルＶＴＲ代理オブジェクト２２０はマルチメディアコントローラ１のディスプレー２２８にデジタルＶＴＲ２０３のアイコン表示２２９を表示する（６４１）。その後利用者の指示を待つ（６４２）。
【００６８】以後、操作者は、マルチメデイアコントローラのデジタルＶＴＲコントロールパネルオブジエクト２２１に基づいて表示された操作画面に基づいてデジタルＶＴＲを操作することにより、マルチメデイアコントローラ１内のデジタルＶＴＲ代理オブジエクト２２０を介してデジタルＶＴＲを制御することができる。
【００６９】次にデジタルＶＴＲ代理オブジェクト記述ファイル２１０の記述と生成されるオブジェクトの関連についてさらに詳細に説明する。
【００７０】図１９はデジタルＶＴＲ２０３のアイコン、図２０はコントロールパネル表示画面の例を示した図である。図１９はデジタルＶＴＲ２０３がＬＡＮ４に接続する際に表示されるアイコン２２９を示している。図２０はデジタルＶＴＲコントロールパネルオブジェクト２２１が描画するデフォルトの表示画面であり、同図において２３２はデイスプレー上に表示されるコントロールパネルの表示選択メニュー、２６５はテープの経過時間を表示するタイムカウンター表示、２６６はデジタルＶＴＲ２０３の制御モードを選択するコントロールモード選択部２６７はデフォルトの制御モードに設定するための第１のスイッチボタン表示、２６８はより詳細な制御モードを選択するための第２のスイッチボタン表示、２６９は巻き戻しボタン表示、２７０は逆転再生ボタン表示、２７１は一時停止ボタン表示、２７２は再生ボタン表示、２７３は早送りボタン表示、２７４は停止ボタン表示、２７５は録画ボタン表示である。」（第８頁左欄第１８行〜右欄第４８行）
Ｄ．「【００８４】図２３は利用者がデジタルＶＴＲ２０３のアイコン表示２２９にカーソル２３０を合わせてダブルクリックした際の動作を示すのフローチヤートおよびコントロールパネルを操作した際の動作のフローチヤートを示した図である。
【００８５】図２４は利用者がデジタルＶＴＲ２０３のアイコン表示２２９をダブルクリックした際のマルチメディアコントローラ１の表示画面を示す図である。図２４において２３１はデジタルＶＴＲ２０３のデフォルトのコントロールパネル表示画面、２７２は再生ボタンである。」（第１０頁左欄第４６行〜右欄第６行）
　
　上記Ａ〜Ｄの記載、及び関連する図面を参照すると、引用例１には、次の発明が記載されているものと認められる。（以下、「引用例１記載の発明」という。）
「ＬＡＮに接続された種々のマルチメディア機器を表示する画面上でデジタルＶＴＲを表すアイコン表示をダブルクリックした場合に、デジタルＶＴＲのコントロールパネル表示画面を発生する方法において、
　デジタルＶＴＲを表すアイコン表示をダブルクリックしたことを検出する段階と、
　上記デジタルＶＴＲを表すアイコン表示のダブルクリックによってデジタルＶＴＲのコントロールパネル表示画面を発生する段階を含む方法。」
　
［引用例２］
Ｅ．「【従来の技術】図２６は、例えば、Marc Andreessen,「NCSA Mosaic Technical Summary Revision 2.1 May 8, 1993」及び「Getting Started with NCSA Mosaic May 8, 1993」に示された従来例の第１の分散ハイパーテキストシステムをブロック図にして示したものである。図２６において、１はクライアントワークステーションで、ハイパーテキストの操作や表示を行う分散ハイパーテキスト・ビューワ２（NCSA Mosaic Client）と通信手段３を備える。４は、サーバワークステーション（httpd サーバ）で、通信手段３とハイパーテキスト・データ５を有する。６は、クライアントワークステーション１とサーバワークステーション４が通信手段３を介して通信するためのネットワークである。７は、ハイパーテキスト・データ５のノード（URL: Uniform Resource Locator で表現される）を、８は、ハイパーテキスト・データ５のリンク関係を示す。また、９は、分散ハイパーテキスト・ビューワ２が過去にアクセスしたハイパーテキスト・データ５のノード名１０（URL）を時間的順序で記録する履歴テーブルを示す。また、ハイパーテキスト・データ５のノード７は、HTML: Hyper Text Markup Languageによって内容が記述され、飛び先のリンク情報であるノード名１０が埋め込まれている。」（第２頁右欄第４０行〜第３頁左欄第１１行）
　
　上記Ｅの記載を参照すると、引用例２には、従来の技術として、次の発明が記載されているものと認められる。（以下、「引用例２記載の発明」という。）
「HTMLページを発生、貯蔵し、それを利用するシステム。」
　
３．対比
　本願発明と引用例１記載の発明とを対比すると、まず、引用例１記載の発明における「デジタルＶＴＲ」は、本願発明における「第１家電機器」に相当する。
　次に、引用例１記載の発明における「ＬＡＮ」は、デジタルＶＴＲやデジタルカメラ等の種々のマルチメディア機器を接続するネットワークであり、上記デジタルＶＴＲやデジタルカメラ等は家電機器であるので、本願発明における「ホームネットワーク」に相当するということができる。
　また、引用例１記載の発明における「ＬＡＮに接続された種々のマルチメディア機器を表示する画面」や「デジタルＶＴＲのコントロールパネル表示画面」は、画面上のアイコン表示が、利用者に対する操作上のガイダンス表示となっているので、本願発明における「プログラムガイド」に相当するということができる。
　そして、引用例１記載の発明において「ＬＡＮに接続された種々のマルチメディア機器を表示する画面上でデジタルＶＴＲを表すアイコン表示をダブルクリック」することは、画面に表示された種々のマルチメディア機器のうち、デジタルＶＴＲを選択したことを識別させる、すなわち、デジタルＶＴＲと関連する選択情報（これはマルチメディア機器に関連するデジタル的なデータ、すなわち「マルチメディア物」である。）を識別させることになるから、本願発明において「プログラムガイドがホームネットワークに連結された第１家電機器と関連されたマルチメディア物を識別する」ことに相当する。
　さらに、上記したように、「コントロールパネル表示画面」も本願発明における「プログラムガイド」に相当するということができることから、引用例１記載の発明において「デジタルＶＴＲのコントロールパネル表示画面を発生する」ことは、本願発明において「ホームネットワークに対してプログラムガイドを発生する」ことに相当する。
　そして、本願発明における「HTMLページ」は、「プログラムガイド」の一形態であるということができ、本願発明において、「プログラムガイド」の一種を発生させていることには変わりない。
　
　よって、本願発明と引用例１記載の発明とは、ともに、
「プログラムガイドがホームネットワークに連結された第１家電機器と関連されたマルチメディア物を識別する時、ホームネットワークに対してプログラムガイドを発生する方法において、
　第１家電機器と関連されたマルチメディア物を識別する段階と、
第１家電機器と関連された識別されたマルチメディア物によってプログラムガイドを発生する段階を含む方法。」
である点で一致し、次の点で相違する。
　相違点：本願発明においては、発生させる「プログラムガイド」が「HTMLページ」であり、「第１家電機器の接近可能な領域にHTMLページを貯蔵する」ものであるのに対し、引用例１には、そのようなことについて記載されていない点。
　
４．当審の判断
　そこで、上記相違点について検討する。
　上記引用例２に見られるように、種々のシステムにおいて、HTMLページを発生、貯蔵し、それを利用することは、従来から行われていることである。
　してみれば、引用例１記載の発明において、発生される「デジタルＶＴＲのコントロールパネル表示画面」を「HTMLページ」とすることは、当業者が適宜に設計できる事項であるものと認められ、さらにそれをデジタルＶＴＲの接近可能な領域に貯蔵するようにすることも、当業者が適宜に設計できる事項にすぎないものと認められる。
　そして、本願発明の構成によってもたらされる効果も、引用例１，２に記載の発明から当業者ならば容易に予測することができる程度のものであって、格別のものとはいえない。
　
５．むすび
　したがって、本願発明は、引用例１，２に記載の発明に基いて、当業者が容易に発明をすることができたものであるので、特許法第２９条第２項の規定により特許を受けることができない。
　よって、結論のとおり審決する。